(57)【特許請求の範囲】
【請求項１】
調整対象の第１表示装置より、当該第１表示装置の表示状態を調整する、コンバージェンス、フォーカス、ホワイトバランス、白レベル、黒レベル、画像位置、画像サイズ、水平台形歪み、糸巻歪み、水平位相、平行四辺形歪み、縦弓形歪み、垂直リニアリティ、垂直リニアリティバランス、上下糸巻歪みバランス、上下ピンの位相、上下位相バランス、ビームスポット形状、対角線上ビームスポット形状、ランディングのいずれかを少なくとも含む、数字または英数字として表記される調整データを読みだす、読み出し手段と、
第２表示装置と、
前記読み出し手段で読みだした前記調整データのうちグラフの形状で表示可能な調整データをグラフの形状で前記第２表示装置に表示する表示手段と、
前記第２表示装置に前記グラフの形状として表示された前記調整データのグラフの形状を、前記表示手段と協働して、前記第１表示装置の調整状態に応じて変形させて前記調整データの内容を変更する、調整データ操作手段と、
前記第２表示装置において前記グラフの形状で変更された前記調整データの前記第２表示装置における表示画面のグラフの位置に基づいて、数値または英数字として表記される変更後の新調整データを算出する、新調整データ算出手段と、
前記算出された新調整データを前記第１表示装置に転送して前記第１表示装置に前記新調整データを設定する設定手段と
を有する表示装置調整装置。
【請求項２】
前記表示手段は、
前記調整データ操作手段で前記グラフの形状を変形させるとき、当該グラフの色を変化させ、
前記調整データ操作手段で前記グラフの形状を変形させることが終了したとき、当該グラフの色を元に戻す、
請求項１に記載の表示装置調整装置。
【請求項３】
前記表示手段は、前記読み出し手段で読みだした前記調整データのうち、前記第２表示装置にグラフの形状で表示できない調整データを数値または英数値として前記第２表示装置に表示し、
前記設定手段は、調整データを指定して当該指定した調整データを新たな調整データとして設定して前記調整データを変更する、
請求項１に記載の表示装置調整装置。
【請求項４】
読み出し手段、表示手段、調整データ操作手段、新調整データ算出手段および設定手段を有するコンピュータで実行される、表示装置調整方法であって、
前記読み出し手段により、調整対象の第１表示装置より、当該第１表示装置の表示状態を調整する、コンバージェンス、フォーカス、ホワイトバランス、白レベル、黒レベル、画像位置、画像サイズ、水平台形歪み、糸巻歪み、水平位相、平行四辺形歪み、縦弓形歪み、垂直リニアリティ、垂直リニアリティバランス、上下糸巻歪みバランス、上下ピンの位相、上下位相バランス、ビームスポット形状、対角線上ビームスポット形状、ランディングのいずれかを少なくとも含む、数字または英数字として表記される調整データを読みだす、読み出し工程と、
前記表示手段により、前記読みだした調整データのうちグラフの形状で表示可能な調整データをグラフの形状で第２表示装置に表示する表示工程と、
前記調整データ操作手段により、前記第２表示装置に前記グラフの形状として表示された前記調整データのグラフの形状を、前記第１表示装置の調整状態に応じて変形させて前記調整データの内容を変更する、調整データ操作工程と、
前記新調整データ算出手段により、前記第２表示装置において前記グラフの形状で変更された前記調整データの前記第２表示装置における表示画面のグラフの位置に基づいて、数値または英数字として表記される変更後の新調整データを算出する、新調整データ算出工程と、
前記設定手段により、前記算出された新調整データを前記第１表示装置に転送して前記第１表示装置に前記新調整データを設定する、設定工程と
を有する表示装置調整方法。
【請求項５】
コンピュータに下記の手順を実行させる、表示装置調整プログラムが記録された、コンピュータ読み取り可能な記録媒体であって、
調整対象の第１表示装置より、当該第１表示装置の表示状態を調整する、コンバージェンス、フォーカス、ホワイトバランス、白レベル、黒レベル、画像位置、画像サイズ、水平台形歪み、糸巻歪み、水平位相、平行四辺形歪み、縦弓形歪み、垂直リニアリティ、垂直リニアリティバランス、上下糸巻歪みバランス、上下ピンの位相、上下位相バランス、ビームスポット形状、対角線上ビームスポット形状、ランディングのいずれかを少なくとも含む、数字または英数字として表記される調整データを読みだす、読み出し手順と、
前記読みだした調整データのうちグラフの形状で表示可能な調整データをグラフの形状で第２表示装置に表示する表示手順と、
前記第２表示装置に前記グラフの形状として表示された前記調整データのグラフの形状を、前記第１表示装置の調整状態に応じて変形させて前記調整データの内容を変更する、調整データ操作手順と、
前記第２表示装置において前記グラフの形状で変更された前記調整データの前記第２表示装置における表示画面のグラフの位置に基づいて、数値または英数字として表記される変更後の新調整データを算出する、新調整データ算出手順と、
前記算出された新調整データを前記第１表示装置に転送して前記第１表示装置に前記新調整データを設定する設定手順と
をコンピュータに実行させる、表示装置調整プログラムが記録された、コンピュータ読み取り可能な記録媒体。
【発明の詳細な説明】
【０００１】
【発明の属する技術分野】
本発明は、表示装置の種々の制御データの設定を、容易かつ適切に行なうことのできる表示装置調整装置およびその表示装置調整プログラムが記録されたコンピュ−タ読み取り可能な記録媒体に関する。
【０００２】
【従来の技術】
近年提供されている表示装置、ディスプレイ装置（以後、単にモニタと言う。）の中には、フォーカス、コンバージェンスなどの動作調整用の制御パラメータ（以後、制御データと言う。）を内部のメモリに記憶しておき、この記憶されている制御データに基づいた条件で動作する構成のものがある。
そのようなモニタは、たとえば工場出荷時や設置時などに、パ−ソナルコンピュータなどにより構成される調整装置と接続され、通信により調整装置により制御されて、その制御データが調整され適切な値に設定される。
【０００３】
【発明が解決しようとする課題】
ところで、そのようなモニタの制御データは、ほとんどの場合単なる数値データである。そして、これまでのモニタと接続されてその制御データを調整する調整装置は、その数値データを直接操作するものであったために、操作が面倒である上に、適切な調整が難しいという問題があった。
すなわち、数値データの増減では、作業者はモニタの動作の差異を直観的に把握するのは難しく、調整が難しかった。
また、各制御データは、たとえばモニタの特定の位置をサンプリングしたものである場合が多いが、調整点間の関連が全く不明であり、それらを関連付けて把握することが困難であるために、適切な動作特性の把握が難しく、そのため適切な調整作業が難しかった。
【０００４】
したがって、本発明の目的は、表示装置の種々の制御データの設定を、容易かつ適切に行なうことのできる表示装置調整装置を提供することにある。
また、本発明の他の目的は、表示装置の種々の制御データの設定を、容易かつ適切に行なうことのできる表示装置調整プログラムが記録されたコンピュ−タ読み取り可能な記録媒体を提供することにある。
【０００５】
【課題を解決するための手段】
本発明によれば、調整対象の第１表示装置より、当該第１表示装置の表示状態を調整する、コンバージェンス、フォーカス、ホワイトバランス、白レベル、黒レベル、画像位置、画像サイズ、水平台形歪み、糸巻歪み、水平位相、平行四辺形歪み、縦弓形歪み、垂直リニアリティ、垂直リニアリティバランス、上下糸巻歪みバランス、上下ピンの位相、上下位相バランス、ビームスポット形状、対角線上ビームスポット形状、ランディングのいずれかを少なくとも含む、数字または英数字として表記される調整データを読みだす、読み出し手段と、
第２表示装置と、
前記読み出し手段で読みだした前記調整データのうちグラフの形状で表示可能な調整データをグラフの形状で前記第２表示装置に表示する表示手段と、
前記第２表示装置に前記グラフの形状として表示された前記調整データのグラフの形状を、前記表示手段と協働して、前記第１表示装置の調整状態に応じて変形させて前記調整データの内容を変更する、調整データ操作手段と、
前記第２表示装置において前記グラフの形状で変更された前記調整データの前記第２表示装置における表示画面のグラフの位置に基づいて、数値または英数字として表記される変更後の新調整データを算出する、新調整データ算出手段と、
前記算出された新調整データを前記第１表示装置に転送して前記第１表示装置に前記新調整データを設定する設定手段と
を有する表示装置調整装置が提供される。
【０００６】
好ましくは、前記表示手段は、前記調整データ操作手段で前記グラフの形状を変形させるとき、当該グラフの色を変化させ、前記調整データ操作手段で前記グラフの形状を変形させることが終了したとき、当該グラフの色を元に戻す。
また好ましくは、前記表示手段は、前記読み出し手段で読みだした前記調整データのうち、前記第２表示装置にグラフの形状で表示できない調整データを数値または英数値として前記第２表示装置に表示し、前記設定手段は、調整データを指定して当該指定した調整データを新たな調整データとして設定して前記調整データを変更する。
【０００７】
また本発明によれば、読み出し手段、表示手段、調整データ操作手段、新調整データ算出手段および設定手段を有するコンピュータで実行される表示装置調整方法であって、
前記読み出し手段により、調整対象の第１表示装置より、当該第１表示装置の表示状態を調整する、コンバージェンス、フォーカス、ホワイトバランス、白レベル、黒レベル、画像位置、画像サイズ、水平台形歪み、糸巻歪み、水平位相、平行四辺形歪み、縦弓形歪み、垂直リニアリティ、垂直リニアリティバランス、上下糸巻歪みバランス、上下ピンの位相、上下位相バランス、ビームスポット形状、対角線上ビームスポット形状、ランディングのいずれかを少なくとも含む、数字または英数字として表記される調整データを読みだす、読み出し工程と、
前記表示手段により、前記読みだした調整データのうちグラフの形状で表示可能な調整データをグラフの形状で第２表示装置に表示する表示工程と、
前記調整データ操作手段により、前記第２表示装置に前記グラフの形状として表示された前記調整データのグラフの形状を、前記第１表示装置の調整状態に応じて変形させて前記調整データの内容を変更する、調整データ操作工程と、
前記新調整データ算出手段により、前記第２表示装置において前記グラフの形状で変更された前記調整データの前記第２表示装置における表示画面のグラフの位置に基づいて、数値または英数字として表記される変更後の新調整データを算出する、新調整データ算出工程と、
前記設定手段により、前記算出された新調整データを前記第１表示装置に転送して前記第１表示装置に前記新調整データを設定する、設定工程と
を有する表示装置調整方法が提供される。
【０００８】
本発明によれば、コンピュータに下記の手順を実行させる、表示装置調整プログラムが記録された、コンピュータ読み取り可能な記録媒体であって、
調整対象の第１表示装置より、当該第１表示装置の表示状態を調整する、コンバージェンス、フォーカス、ホワイトバランス、白レベル、黒レベル、画像位置、画像サイズ、水平台形歪み、糸巻歪み、水平位相、平行四辺形歪み、縦弓形歪み、垂直リニアリティ、垂直リニアリティバランス、上下糸巻歪みバランス、上下ピンの位相、上下位相バランス、ビームスポット形状、対角線上ビームスポット形状、ランディングのいずれかを少なくとも含む、数字または英数字として表記される調整データを読みだす、読み出し手順と、
前記読みだした調整データのうちグラフの形状で表示可能な調整データをグラフの形状で第２表示装置に表示する表示手順と、
前記第２表示装置に前記グラフの形状として表示された前記調整データのグラフの形状を、前記第１表示装置の調整状態に応じて変形させて前記調整データの内容を変更する、調整データ操作手順と、
前記第２表示装置において前記グラフの形状で変更された前記調整データの前記第２表示装置における表示画面のグラフの位置に基づいて、数値または英数字として表記される変更後の新調整データを算出する、新調整データ算出手順と、
前記算出された新調整データを前記第１表示装置に転送して前記第１表示装置に前記新調整データを設定する設定手順と
をコンピュータに実行させる、表示装置調整プログラムが記録された、コンピュータ読み取り可能な記録媒体が提供される。
【０００９】
【発明の実施の形態】
本発明の一実施の形態について、図１〜図８を参照して説明する。
まず、本実施の形態のモニタ調整システムの構成について説明する。
図１は、そのモニタ調整システム１０の構成およびその使用形態を示す図である。
図１に示すように、本実施の形態のモニタ調整システム１０はパ−ソナルコンピュータにより構成されており、これが接続ケーブルを介して調整対象のモニタ２０と接続され、その調整を行なうものである。
したがって、モニタ調整システム１０は、ハード構成としては通常のパ−ソナルコンピュータの構成、すなわち、コンピュータ本体１１、ディスプレイ１２、キーボード１３、マウス１４および接続ケーブル１５を有する。
【００１０】
コンピュータ本体１１は、演算処理ユニット、ＲＡＭ，ＲＯＭなどのメモリ部、種々のインターフェイス回路などを有し、たとえばＲＯＭに予め記憶されたプログラムにより動作し、パ−ソナルコンピュータがモニタ調整システム１０として動作するように、モニタ調整システム１０の各部を制御する。具体的には、接続ケーブル１５を介して被調整モニタ２０と通信を行ない、調整データを読み出したり、あるいは、モニタ調整システム１０で設定された調整データを被調整モニタ２０に設定したりする。また、キーボード１３およびマウス１４を介した調整操作の受け付け、ディスプレイ１２を介した調整データの表示などの処理を行なう。
【００１１】
ディスプレイ１２は、コンピュータ本体１１からの制御に従って、被調整モニタ２０の調整対象のデータを、所望の形態のグラフにより、あるいは数値データとして表示する。
キーボード１３は、マウス１４とともに、モニタ調整システム１０に対して、調整項目の設定や調整データの調整値の入力など、データ作業者が種々の操作を行なうための入力手段である。
【００１２】
マウス１４は、キーボード１３と同様に、モニタ調整システム１０に対して調整項目の選択や調整対象のデータの調整などを行なうための入力手段である。特に、本発明に係わるモニタ調整システム１０においては、制御対象のデータがディスプレイ１２にグラフで表示された場合に、作業者は、このマウス１４によりそのグラフの調整対象の箇所を直接指示して移動させ、そのデータの調整を行なう。
接続ケーブル１５は、調整対象のデータの読み出しおよび設定などを行なうために、モニタ調整システム１０と被調整モニタ２０を接続するケーブルであり、本実施の形態においては、ＲＳ−４２２Ａケーブルである。
【００１３】
次に、このような構成のパ−ソナルコンピュータに予め記憶され、パ−ソナルコンピュータをモニタ調整システム１０として動作させるためのプログラムの主要部について図２〜図５を参照して説明する。
まず、被調整モニタ２０の任意の調整対象のデータをグラフにより表示する処理について、図２〜図４を参照して説明する。
【００１４】
まず調整処理を開始したら、モニタ調整システム１０は接続ケーブル１５を介して、被調整モニタ２０より、被調整モニタ２０の調整データを読み込み、各調整項目ごとのブロックに分けたデータ列を生成する（ステップＳ１１）。
その後に、データが適切に被調整モニタ２０より読み出されたか否かをチェックし（ステップＳ１２）、適切に読み込まれていなかった場合には、エラー表示などを行なって（ステップＳ１３）、調整対象のデータの表示処理を直ちに終了する（ステップＳ１４）。
ステップＳ１２において、データが適切に読み込まれていた場合には、調整したい項目のキーボード１３を介して入力を受け付ける（ステップＳ１５）。
【００１５】
次に、入力された調整項目が、たとえば一連の複数のデータからなる項目であるような、グラフによる表示が可能な項目であるか否かをチェックする（ステップＳ１６）。本実施の形態のモニタ調整システム１０の場合には、調整項目が、水平方向コンバージェンスＲ／Ｂ（Ｈ. Ｃｏｎｖ．Ｒ／Ｂ）、水平方向コンバージェンスＢ（Ｈ. Ｃｏｎｖ．Ｂ）、垂直方向コンバージェンスＲ／Ｂ（Ｖ．Ｃｏｎｖ．Ｒ／Ｂ）、垂直方向コンバージェンスＢ（Ｖ．Ｃｏｎｖ．Ｂ）、フォーカス補正（Ｄ．ＦＯＣＵＳ）、軸上ビームスポット形状補正（Ｓ．Ａｘｉｓ）および対角線上ビームスポット形状補正（Ｓ．Ｄｉａｇｏ．）の場合にはグラフによる表示を行なうものとする。
【００１６】
ステップＳ１６において、入力された調整項目がグラフによる表示が有効でないような項目、換言すれば前述したような予め定められた項目以外の項目であった場合には、読み込んだデータをそのままディスプレイ１２に表示して（ステップＳ１７）、調整対象のデータの表示処理を終了する（ステップＳ１８）。
ステップＳ１６において、入力された調整項目がグラフによる表示が可能な項目であった場合には、その読み込んだデータをグラフにより表示するか否かの選択を、キーボード１３またはマウス１４を介して受け付ける（ステップＳ１９）。
【００１７】
ステップＳ１９において、グラフによる表示が選択された場合には、ステップＳ１１で生成した調整項目ごとのデータのその調整対象の項目のデータ列を、たとえば各ラインごとのデータ配列（ｄａｔａ（ｘ，ｙ））に代入する（ステップＳ２０）。
そして、そのデータ配列に基づいて、各ラインごとの調整データをグラフ化しディスプレイ１２に表示し（ステップＳ２１）、調整対象のデータの表示処理を終了する（ステップＳ２２）。
【００１８】
なお、ステップＳ２１における調整データのグラフ表示は、たとえば（１）に示すようなプログラムにより実行される。
【００１９】
【数１】
0004348773.tif 000002
但し、Ｘは、ｘ方向有効データ数、
Ｙは、ｙ方向有効データ数、
line(a,b) は、点ａ，ｂ間に直線を表示する描画ルーチン、
plot(a) は、点ａの位置に点をプロットする描画ルーチン
である。
【００２０】
ステップＳ１９において、グラフによる表示が選択されなかった場合には、ステップＳ１１で生成した調整項目ごとのデータのその調整対象の項目のデータ列を、たとえば各ラインごとのデータ配列（ｄａｔａ（ｘ，ｙ））に代入する（ステップＳ２３）。
そして、そのデータ配列に基づいて、各ラインごとの調整データを表として、数値のままディスプレイ１２に表示し（ステップＳ２４）、調整対象のデータの表示処理を終了する（ステップＳ２５）。
【００２１】
なお、ステップＳ２４における調整データのグラフ表示は、たとえば（２）に示すようなプログラムにより実行される。
【００２２】
【数２】
0004348773.tif 000003
但し、Ｘは、ｘ方向有効データ数、
Ｙは、ｙ方向有効データ数、
drawvalue(x,y,data) は、点(x,y) の位置にdataの値を表示する描画ルーチンである。
【００２３】
次に、表示されたデータに基づいて、その値の調整を行なう処理について、図５を参照して説明する。
図２〜図４を参照して前述したように調整対象のデータを表示した場合であって、その調整データを数値により表示した場合には、調整データを指定してキーボード１３より新たなデータを入力することにより、その入力されたデータを新たな調整項目の制御データとして設定する。
一方で、調整対象のデータをグラフにより表示した場合には、そのグラフに対して操作を行なうことにより、データを変更する。そのような、本発明に係わるグラフ表示された項目を調整する処理について、図５を参照して説明する。
【００２４】
まず、調整処理を開始したら、キーボード１３またはマウス１４を使って、表示されているグラフのどのポイントを調整するかを選択する（ステップＳ３１）。具体的には、たとえばマウス１４を用いて調整対象のポイントにカーソルを移動し、マウス１４のボタンを押下することにより行なう。なおこの時に、選択されたポイントおよびそのポイントに接続されるグラフの直線については、色を変えて表示するようにする。
次に、同じくキーボード１３またはマウス１４を介して、その選択したポイントを移動させ、データを調整する（ステップＳ３２）。具体的には、ステップＳ１３において、前述したようにマウス１４によりポイントを選択した場合には、マウス１４のボタンを押下した状態でカーソルを移動させることによりポイントを移動させデータを調整し、ポイントが所望の位置に達した時にそのボタンを開放することによりそのデータを特定する。
【００２５】
このようにしてデータを調整したら、そのポイントの位置に基づいたデータ値を算出し、これを調整データとして被調整モニタ２０に転送するとともに（ステップＳ３３）、ディスプレイ１２に表示しているグラフを、調整後のポイントに基づいたグラフに再描画する（ステップＳ３４）。
選択したポイントについてこのような処理を必要に応じて繰り返し（ステップＳ３５）、ディスプレイ１２またはキーボード１３からの入力によりそのポイントに対する調整処理の終了が指示されたら（ステップＳ３５）、前述したように調整対象のポイントであること明示するために変更していたそのポイントおよび接続するグラフの直線の色を元に戻す。
【００２６】
そして、その調整項目の他のポイントについて調整を行なう場合には（ステップＳ３６）、ステップＳ３１に戻りその調整対象のポイントの選択からの処理を繰り返し行なう。
そして、ディスプレイ１２またはキーボード１３からの入力により、その調整項目に対する調整処理の終了が指示されたら（ステップＳ３６）、一連の調整処理を終了する（ステップＳ３７）。
【００２７】
次に、モニタ調整システム１０の動作について、図６および図７を参照して具体的に説明する。
まず、被調整モニタ２０に設定されている制御データの構成例を図６を参照して説明する。
【００２８】
被調整モニタ２０としては種々の構成のものが考えられ、その調整項目や制御データの保持の仕方なども各モニタに応じて異なるが、基本的には、その制御データは、たとえばＥＰＲＯＭなどのメモリに図６（Ａ）に示すように一次元的にシリアルに記録、設定されていると考えることができる。
そしてその内部に、図６（Ｂ）に示すような、たとえば画歪、コンバージェンス、フォーカスなどの各制御データのブロックが格納されている。
また、各列、各ポイント、各画素など複数の制御データを有する設定項目については、その１つのブロックが、たとえば図６（Ｃ）に示すような各列ごとの制御データがブロックのような、さらに複数の制御データのブロックを有している。最終的には、たとえばこの図６（Ｃ）に示すような構成の各ブロックの各データが、図６（Ｄ）に示すように、たとえばモニタ上の特定の画素の制御データを示している。
【００２９】
このような構成で制御データが設定される被調整モニタ２０を例にして、モニタ調整システム１０の動作について説明する。
まず、調整処理を開始したら、モニタ調整システム１０は被調整モニタ２０より図６（Ａ）に示すような調整データを読み込む。そして、図６（Ｂ）に示すような各調整項目ごとのブロックに分けたデータ列を生成し、同時に読み出したデータが適切か否かをチェックする。
作業者により所望の調整項目が指定されたら、その調整項目がグラフによる表示が可能な項目であるか否かをチェックし、グラフによる表示が有効でないような項目の場合には、読み込んだデータをそのまま数値により、ディスプレイ１２に表示する。そして、作業者によりキーボード１３を介して直接入力されるデータを、その制御データの変更データとして受け付け、被調整モニタ２０の設定データを更新する。
【００３０】
作業者により指定された調整項目がグラフによる表示が可能な項目である場合には、グラフにより表示するか否かの選択を行なわせる。
そして、グラフによる表示が選択された場合には、たとえば図７に示すように、その調整項目のデータ列をグラフにより表示する。
このように表示された調整項目の任意の箇所を変更する、すなわち制御データを調整する場合には、作業者は、まず、たとえばマウス１４などのポインティングデバイスを使用して、カーソルを表示されているグラフの調整対象のポイントの近傍に移動させ、マウス１４のボタンを押下するなどしてそのポイントを選択する。次に、ボタンを押下した状態でカーソルを移動させることにより、所望のデータ値に対応する位置にポイントを移動させる。
【００３１】
モニタ調整システム１０は、このような操作に対応して、選択されたポイントおよびそのポイントに接続されるグラフの直線について色を変えて表示したり、表示されているポイントを移動させたりするなどの処理を行なう。
そして、作業者がマウス１４のボタンを開放することによりそのポイントの位置が移動されたら、その位置に基づいて調整データ値を算出し、算出された変更データ値を被調整モニタ２０に設定する。
【００３２】
また、グラフによる表示が選択されなかった場合には、たとえば図８に示すように、その調整項目のデータ列を表により表示する。
このように表示された調整項目の任意の箇所を変更する、すなわち制御データを調整する場合には、作業者は、キーボード１３やマウス１４を使用して、表中の調整対象のデータを選択し、そのデータの調整値、変更値をキーボード１３より直接キー入力する。
モニタ調整システム１０は、この作業者によりキーボード１３を介して直接入力されるデータを、その制御データの変更データとして受け付け、被調整モニタ２０の設定データを更新する。
【００３３】
このように、本実施の形態のモニタ調整システム１０においては、被調整モニタ２０の調整データを、ディスプレイ１２上にグラフにより表示し、またこのグラフをマウス１４を用いて直接的に操作してデータを変更、調整することができる。したがって、設定データの状態を適切に把握することができ、その調整も容易に行なうことができる。
【００３４】
なお、本発明は本実施の形態に限られるものではなく、種々の改変が可能である。
たとえば、本実施の形態においては、モニタ調整システム１０は、通常のパ−ソナルコンピュータを用いて構成した。しかし、図２〜図５を参照して説明したような処理を、専用のハードウェアにより実行するような構成でもよい。
また、表示されたグラフの変更対象のポイントの選択およびその調整は、本実施の形態においてはマウスを用いて行なったが、トラックボール、ジョイスティックなどのスティック型のデバイス、スライドパッド、タッチパッドなどと言われるパッド型のデバイスなどの任意のポインティングデバイスを用いてよい。また、ディスプレイと一体的な構成として、タッチペンやタッチパネルなどを用いて同様の処理が行なえるようにしてもよい。
【００３５】
また、調整対象の項目、グラフ表示対象とする項目なども、本実施の形態で例示したものに限られるものではない。たとえば、ホワイトバランス、白レベル、黒レベル、画像位置、画像サイズ、水平台形歪み、糸巻歪み、水平位相、平行四辺形歪み、縦弓形歪み、垂直リニアリティ、垂直リニアリティバランス、上下糸巻歪み、センターアンプ、上下糸巻歪みバランス、上下ピンの位相、上下位相バランス、フォーカス、ビームスポット形状、対角線上ビームスポット形状、ランディング、コンバージェンスなどの、被調整モニタに応じた任意のデータであってよい。
【００３６】
【発明の効果】
このように、本発明によれば、表示装置の種々の制御データの設定を、容易かつ適切に行なうことのできる表示装置調整装置を提供することができる。
また、表示装置の種々の制御データの設定を、容易かつ適切に行なうことのできる表示装置調整プログラムが記録されたコンピュ−タ読み取り可能な記録媒体を提供することができる。
【図面の簡単な説明】
【図１】図１は、本発明の一実施の形態のモニタ調整システムの構成を示す構成図である。
【図２】図２は、図１に示したモニタ調整システムにおける、被調整モニタの任意の調整対象のデータをグラフにより表示する処理を説明するための第１のフローチャートである。
【図３】図３は、図１に示したモニタ調整システムにおける、被調整モニタの任意の調整対象のデータをグラフにより表示する処理を説明するための第２のフローチャートである。
【図４】図４は、図１に示したモニタ調整システムにおける、被調整モニタの任意の調整対象のデータをグラフにより表示する処理を説明するための第３のフローチャートである。
【図５】図５、図１に示したモニタ調整システムにおける、表示されたデータに基づいて調整を行なう処理を説明するためのフローチャートである。
【図６】図６は、被調整モニタに設定される制御データの構成例を示す図である。
【図７】図７は、制御データのグラフによる表示の例を示す図である。
【図８】図８は、制御データの表による表示の例を示す図である。
【符号の説明】
１０…モニタ調整システム、１１…コンピュータ本体、１２…ディスプレイ、１３…キーボード、１４…マウス、１５…接続ケーブル
【図１】
0004348773.tif 000004
【図２】
0004348773.tif 000005
【図３】
0004348773.tif 000006
【図４】
0004348773.tif 000007
【図５】
0004348773.tif 000008
【図６】
0004348773.tif 000009
【図７】
0004348773.tif 000010
【図８】
0004348773.tif 000011